(57)【要約】【課題】使用環境に近い状態で高精度な水密試験を実施する。【解決手段】防水扉との間に試験水槽を形成して水密試験を行う防水扉の水密試験用止水壁１で、防水扉に対向して中間部に配置される中間壁ブロック２と、該中間壁ブロック２の両側に幅方向にスライド自在に配置されて左右の側壁ＳＷにそれぞれ当接される左右一対の側部壁ブロック３と、中間壁ブロック２と側部壁ブロック３の防水扉側を覆う止水シートと、中間壁ブロック２と側部壁ブロック３の間に上下スライド自在に配置されて加圧バー６により側部壁ブロックを側壁側および床面側に押付けるとともに中間壁ブロック２を床面ＦＷ側に押付ける楔壁ブロック４と、中間壁ブロック２と側部壁ブロック３を防水扉の反対側から支持する反力受けバー７と、中間壁ブロック２と床面ＦＷの間、側壁ブロック３と床面ＦＷおよび側壁ＳＷの間に介在された弾性シール材８とを具備した。【選択図】　　　　図２
2004077306.tif 000002
【特許請求の範囲】
【請求項１】
防水扉に対向して設置されて防水扉との間に試験水槽を形成し防水扉の水密試験を行う防水扉の水密試験用止水壁であって、
接近離間自在な複数の壁ブロックと、壁ブロックと出入口の床壁および側壁との間にそれぞれ介在された弾性シール材と、前記壁ブロックをそれぞれ床壁および側壁にそれぞれ押付けて前記弾性シール材を圧縮する加圧部材と、複数の壁ブロックの試験水槽側を覆う止水シートと、前記壁ブロックを支持する支持部材とを具備した
ことを特徴とする防水扉の水密試験用止水壁。
【請求項２】
防水扉に対向して設置されて防水扉との間に試験水槽を形成し防水扉の水密試験を行う防水扉の水密試験用止水壁であって、
防水扉に対向して中間部に配置される中間壁ブロックと、
前記中間壁ブロックの両側に幅方向にスライド自在に配置されて左右の側壁にそれぞれ当接される左右一対の側部壁ブロックと、
前記中間壁ブロックと側部壁ブロックの間に配置されて側部壁ブロックを側壁側に押付ける側方加圧部材と、
前記中間壁ブロックおよび側部壁ブロックならびに側方加圧部材の試験水槽側全面を覆う止水シートと、
前記中間壁ブロックと側部壁ブロックとを床壁に押付ける下方加圧部材と、
前記中間壁ブロックと側部壁ブロックに負荷される試験水槽の水圧を支持する後方支持部材と、
前記中間壁ブロックおよび側壁ブロックと、床壁および側壁の間に介在された弾性シール材とを具備した
ことを特徴とする防水扉の水密試験用止水壁。
【請求項３】
側方加圧部材および下方加圧部材を、中間壁ブロックと側部壁ブロックに対向されて下方ほど狭幅となる係合部にスライド自在に嵌合される楔状壁ブロックと、出入口の天井部と前記楔状壁ブロックとの間に介在されて伸縮自在な複数の下方伸縮具とで構成した
ことを特徴とする請求項２記載の防水扉の水密試験用止水壁。
【請求項４】
側方加圧部材を、幅方向に伸縮自在な複数の側方伸縮具とした
ことを特徴とする請求項３記載の防水扉の水密試験用止水壁。
【請求項５】
下方加圧部材を給排水可能な水タンクとした
ことを特徴とする請求項２乃至４のいずれかに記載の防水扉の水密試験用止水壁。
【発明の詳細な説明】
【０００１】
【発明の属する技術分野】
本発明は、防水扉の組立後やメンテナンス時に、防水扉に臨んで試験水槽を形成し防水扉の水密試験を実施するための防水扉の水密試験用止水壁に関する。
【０００２】
【従来の技術】
従来、出入口に設置される防水扉装置は、現場での据付作業後、周辺を暗環境とし、試験光を防水扉の水密部に照射して、試験光の漏れがあるかないかを検査し、これにより水密状態を確認していた。
【０００３】
【発明が解決しようとする課題】
しかしながら、オーバーフローした水をせき止める場合には、水流や水圧が防水扉に直接付加されるため、上記従来の試験環境と、実際の使用環境とは異なるため、水密性能の信頼性が低いという問題があった。
【０００４】
本発明は、上記問題点を解決して、使用環境に近い状態で高精度な水密試験が実施可能な防水扉の水密試験用止水壁を提供することを目的とする。
【０００５】
【課題を解決するための手段】
上記目的を達成するために請求項１記載の発明は、防水扉に対向して設置されて防水扉との間に試験水槽を形成し防水扉の水密試験を行う防水扉の水密試験用止水壁であって、接近離間自在な複数の壁ブロックと、壁ブロックと出入口の床壁および側壁との間にそれぞれ介在された弾性シール材と、前記壁ブロックをそれぞれ床壁および側壁にそれぞれ押付けて前記弾性シール材を圧縮する加圧部材と、複数の壁ブロックの試験水槽側を覆う止水シートと、前記壁ブロックを支持する支持部材とを具備したものである。
【０００６】
上記構成によれば、水密試験を予定していない防水扉であっても、加圧部材により壁ブロックを床壁および側壁側にそれぞれ押付けて弾性シール材を圧縮し、止水壁と床壁および側壁との隙間を良好にシールし、さらに止水壁の全面を覆う止水シートにより止水扉からの水漏れを防止し、さらに支持部材により止水壁を支持させることにより、水密試験を予定していない防水扉であっても、防水扉の止水面側に止水扉を設置して試験水槽を形成し、精度良く防水扉の水密試験を実施することができる。
【０００７】
請求項２記載の発明は、防水扉に対向して設置されて防水扉との間に試験水槽を形成し防水扉の水密試験を行う防水扉の水密試験用止水壁であって、防水扉に対向して中間部に配置される中間壁ブロックと、前記中間壁ブロックの両側に幅方向にスライド自在に配置されて左右の側壁にそれぞれ当接される左右一対の側部壁ブロックと、前記中間壁ブロックと側部壁ブロックの間に配置されて側部壁ブロックを側壁側に押付ける側方加圧部材と、前記中間壁ブロックおよび側部壁ブロックならびに側方加圧部材の試験水槽側全面を覆う止水シートと、前記中間壁ブロックと側部壁ブロックとを床壁に押付ける下方加圧部材と、前記中間壁ブロックと側部壁ブロックに負荷される試験水槽の水圧を支持する後方支持部材と、前記中間壁ブロックおよび側壁ブロックと、床壁および側壁の間に介在された弾性シール材とを具備したものである。
【０００８】
上記構成によれば、水密試験を予定していない防水扉であっても、中間壁ブロックと側部壁ブロックとの間に側方加圧部材を介在させるとともに、下方加圧部材により止水壁と左右側壁および床壁との間の弾性シール材を圧縮して良好にシールし、さらに止水壁の全面を覆う止水シートにより拡縮される止水扉からの水漏れを防止し、さらに試験水槽の水圧を後方支持部材により支持させることができるので、水密試験を予定していない防水扉であっても、試験水槽を容易に形成して精度良く防水扉の水密試験を実施することができる。
【０００９】
請求項３記載の発明は、側方加圧部材および下方加圧部材を、中間壁ブロックと側部壁ブロックに対向されて下方ほど狭幅となる係合部にスライド自在に嵌合される楔状壁ブロックと、出入口の天井部と前記楔状壁ブロックとの間に介在されて伸縮自在な複数の下方伸縮具とで構成したものである。
【００１０】
上記構成によれば、下方伸縮具により楔状壁ブロックを下方に押圧することで、試験水槽の水圧を良好に支持できるとともに、側部壁ブロックを側方および下方にそれぞれ押圧すると同時に中間壁ブロックを下方に押圧することができ、弾性シール材を良好に加圧して試験水槽の止水壁からの漏水を防止することができる。
【００１１】
請求項４記載の発明は、側方加圧部材を、幅方向に伸縮自在な複数の側方伸縮具としたものである。
上記構成によれば、側方伸縮具により側部壁ブロックを側壁に押付けて弾性シール材を圧縮し、効果的にシールすることができる。
【００１２】
請求項５記載の発明は、下方加圧部材を給排水可能な水タンクとしたものである。
上記構成によれば、下方加圧部材を水タンクとすることで、可搬性を向上させて試験用具の軽量化を図ることができる。また反力受けとなる天井部が無かったり、高い場合でも下方に付勢して弾性シール材を圧縮することができ、止水壁と床壁からの漏水を効果的に防止することができる。
【００１３】
【発明の実施の形態】
ここで、本発明に係る防水扉の水密試験用止水壁の第１の実施の形態を図１〜図５に基づいて説明する。
【００１４】
この水密試験用止水壁は、図１〜図３に示すように、たとえば地下鉄や地下街に通じる階段ＥＳなどを有する通路Ｅや出入口の防水扉ＷＧの止水面（入口側）に設置され、防水扉ＷＧとの間に試験水槽１０を形成して防水扉ＷＧの水密試験を行うものである。
【００１５】
この止水壁１は、防水扉ＷＧに対向して中間部に配置される台形状の中間壁ブロック２（壁ブロック）と、この中間壁ブロック２の両側に幅方向にスライド自在に配置されて左右の側壁ＳＷにそれぞれ当接される左右一対の直角台形状の側部壁ブロック（壁ブロック）３，３と、中間壁ブロック２と側部壁ブロック３，３の間に介在される逆台形状の楔状壁ブロック（加圧部材・側方加圧部材）４，４とを具備し、各壁ブロック２，３，４はそれぞれアングル形やチャンネル形のビーム材とスキンプレートにより形成されている。
【００１６】
中間壁ブロック２と側部壁ブロック３，３で互いに対向する左右側辺部が傾斜されて空間幅が下部ほど狭幅となるテーパ状に形成されるとともに、左右側辺部に取り付けられた複数のガイド板５ａにより係合部５が形成され、これら係合部５に楔状壁ブロック４のテーパ状の左右側縁部がスライド自在に嵌合される。そして楔状壁ブロック４と天井部ＣＷの間に、伸縮自在なねじジャッキ式の加圧バー（加圧部材・下方加圧部材）６が介装され、加圧バー６により楔状壁ブロック４を下方に押付け係合部５を介して中間壁ブロック２および側部壁ブロック３，３を床壁側に押付けるとともに側部壁ブロック３，３を床壁ＦＷ側および側壁ＳＷ側に押付けることができる。また加圧バー６に代えて、図６の水タンク２５を使用することもできる。
【００１７】
また中間壁ブロック２は、係合部５が形成された左右一対で直角台形状のサイド壁部２Ａと、幅の異なる複数種が容易された矩形状の調整壁部２Ｂからなり、調整壁部２Ｂはサイド壁部２Ａに設けられた装着ガイド板１３と係止具１４とにより着脱自在に構成される。
【００１８】
前記中間壁ブロック２と側部壁ブロック３，３の背面側には、入口階段ＥＳの垂直面との間に伸縮自在なねじジャッキ式の複数の反力受けバー（支持部材・後方支持部材）７が設置されて試験水槽１０の水圧を支持するように構成される。もちろん、入口階段ＥＳの垂直面に代えて他の支持構造物や仮設構造物（図８の反力支持具２６など）を使用することもできる。
【００１９】
また中間壁ブロック２の底辺ビーム材２ａと側部壁ブロック３，３の底辺ビーム材３ａおよび側辺ビーム材３ｂには、床壁ＦＷおよび側壁ＳＷの間で圧縮される弾性シール材８がそれぞれ取り付けられている。さらにこの止水壁１の防水扉側には、全面を覆う止水シート９が設けられており、この止水シート９の左右側辺と底辺部は、底辺ビーム２ａ，３ａと側辺ビーム３ｂと弾性シール材８との間に介装されて固定されている。
【００２０】
楔状壁ブロック４の下方に対応する底辺ビーム材２ａ，３ａ間の空間部には、止水シート９および弾性シール材８を加圧保持するためのシールブロック１１が配置され、楔状壁ブロック４の下端部とシールブロック１１が調整ボルト１２を介して位置調整自在に連結されている。なお、このシールブロック１２は、長さの異なる複数種類が予め容易されており、底辺ビーム２ａ，３ａ間の空間部の幅に対応して使用される。
【００２１】
上記構成において、防水扉ＷＧの水密試験を実施する時には、防水扉ＷＧに対応して入口側の床壁ＦＷおよび側壁ＳＷに弾性シール材８および止水シート９を介して中間壁ブロック２および側部壁ブロック３，３を配置し、次いで中間壁ブロック２と側部壁ブロック３間に楔状壁ブロック４を上方から挿入して係合溝５に嵌め入れる。そして楔状壁ブロック４と天井部ＣＷの間に加圧バー６を介装して進展させることにより楔状壁ブロック４を下方に加圧し、係合部５を介して中間壁ブロック２および側部壁ブロック３，３を床壁ＦＷ側に押付けるとともに側部壁ブロック３，３を床壁ＦＷ側および側壁ＳＷ側に押付け、弾性シール材８をそれぞれ圧縮してシールする。次いで中間壁ブロック２および側部壁ブロック３，３の背面側に、入口階段Ｓの垂直面との間に反力受けバー７を装着して試験水槽１０の水圧を支持可能とし、さらに止水壁１の全面を止水シート９で覆う。そして図示しない給水ホースから試験水槽１０に所定量の水を供給し、防水扉ＷＧの水密状態を試験する。水密試験の終了後は、先の組み立てと逆の手順で分解すればよい。
【００２２】
上記第１の実施の形態によれば、防水扉に対向して配置された中間壁ブロック２と側部壁ブロック３間に楔状壁ブロック４を上方から挿入して、加圧バー６を用いて楔状壁ブロック４を下方に付勢することで、止水扉１を拡張して左右側辺部および底辺部を左右側壁ＳＷと床壁ＦＷにそれぞれ押付け、弾性シール材８を加圧して、止水壁１と左右側壁ＳＷおよび床壁ＦＷの隙間を良好にシールすることができ、水密試験を予定していない防水扉ＷＧであっても、止水面側に試験水槽１０を形成して防水扉ＷＧの水密状態を精度良く試験することができる。
【００２３】
次に本発明に係る防水扉の水密試験用止水壁の第２の実施の形態を図６〜図１０を参照して説明する。
本発明に係る水密試験用止水壁は、たとえば通路や出入口に設置されて止水面（入口側）の床壁ＦＷおよび左右側壁ＳＷがフラットな面に形成された防水扉ＷＧを対象とし、防水扉ＷＧとの間に止水壁２１を組立てて試験水槽３０を形成し、防水扉ＷＧの水密試験を行うものである。
【００２４】
この止水壁２１は、図６〜図８に示すように、防水扉ＷＧに対向して中間部に配置される矩形状の中間壁ブロック（壁ブロック）２２と、この中間壁ブロック２２の両側に幅方向にスライド自在に配置されて左右の側壁ＳＷにそれぞれ当接される略矩形状で左右一対の側部壁ブロック（壁ブロック）２３，２３とを具備し、各壁ブロック２２，２３はそれぞれアングル形やチャンネル形のビーム材とスキンプレートにより形成されている。
【００２５】
そして中間壁ブロック２２と側部壁ブロック２３の間に、複数本（図では２本）の伸縮自在なねじジャッキ式の拡縮バー（加圧部材・側方加圧部材・側方伸縮具）２４が介装され、これにより側部壁ブロック２３を側壁ＳＷに押付けるように構成されている。
【００２６】
また中間壁ブロック２２と側部壁ブロック２３の背面（試験水槽３０の反対側）には、それぞれ給水排水可能な水タンク（下方加圧部材）２５がそれぞれ取り付けられ、中間壁ブロック２２と側部壁ブロック２３をそれぞれ床面ＦＷ側に付勢している。さらに中間壁ブロック２２と側部壁ブロック２３の背面には、それぞれ複数の反力支持具（支持部材・後方支持部材）２６が取り付けられて、試験水槽３０の水圧を支持するように構成される。この反力支持具２６は、図８に示すように、中間壁ブロック２２と側部壁ブロック２３の上部に取り付けられた上ブラケット２６ａに水平ピンを介して回動自在に支持され遊端部が床壁ＦＷに着地されるロックバー２６ｂと、中間壁ブロック２２と側部壁ブロック２３の下部または中間部に取り付けられた下ブラケット２６ｃとロックバー２６ｂの中間位置の間にピン連結されたねじジャッキ式の伸縮バー２６ｄとで構成されている。そして中間壁ブロック２２と側部壁ブロック２３の上部と床壁ＦＷとの間に所定角度傾斜して配置されたロックバー２６ｂを伸縮バー２６ｄにより止水壁２１側に引き付けて固定することにより、試験水槽３０の水圧により止水壁２１に加わる負荷をロックバー２６ｂで支持することができる。
【００２７】
両側部壁ブロック２３の外側辺部に側部弾性シール材２８Ａが取り付けられて側壁ＳＷとの隙間がシールされ、また両側部壁ブロック２３の円弧状の下部コーナ部にコーナ弾性シール材２８Ｂが取り付けられて側壁ＳＷと床壁ＦＷのコーナ部の隙間がシールされるように構成される。さらに中間壁ブロック２２の底部両側には、固定底材２７ａに伸縮自在に設けられた可動底材２７ｂからなる底辺部材２７が取り付けられており、中間壁ブロック２２の底部と底辺部材２７に底部弾性シール材２８Ｃが取り付けられて床壁ＦＷとの隙間がシールされている。２７ｄは側部壁ブロック２３に取り付けられて底辺部材２７を加圧する押さえボルトである。
【００２８】
また止水壁２１の試験水槽３０側には、前面全体を覆う止水シート２９が張設されており、止水シート２９の左右辺部が側部壁ブロック２３と弾性シール材２８Ａ，２８Ｂの間に介在されて固定され、また止水シート２９の底辺部が中間壁ブロック２２の底部および底辺部材２７と底部弾性シール材２８Ｃの間に介在されて固定されている。止水シート２９の上辺部は、図示しないが係止具などを用いて固定される。
【００２９】
上記構成において、防水扉ＷＧの水密試験を実施する時には、防水扉ＷＧに対向する止水面側（入口側）の床壁ＦＷおよび側壁ＳＷに、弾性シール材８および止水シート９を介して中間壁ブロック２２および側部壁ブロック２３，２３をそれぞれ配置し、次いで中間壁ブロック２２と側部壁ブロック２３の間に複数の拡縮バー２４を嵌合させる。そして拡縮バー２４をそれぞれ伸張することにより、側部壁ブロック２３，２３を側壁ＳＷ側に押付けて弾性シール材２８Ａ，２８Ｂを圧縮しシールする。次いで中間壁ブロック２２および側部壁ブロック２３，２３の背面側に、それぞれ複数の反力支持具２６を装着して固定し、試験水槽３０の水圧に備える。さらに水タンク２５にそれぞれ給水して所定の重量を中間壁ブロック２２および側部壁ブロック２３，２３に負荷し、弾性シール材２８Ｂ，２８Ｃを圧縮してシールする。そして図示しない、給水ホースから試験水槽３０に所定量の水を供給し、防水扉ＷＧの水密状態を試験する。水密試験の終了後は、組立と逆の手順で分解すればよい。
【００３０】
上記第１の実施の形態によれば、防水扉に対向して配置された中間壁ブロック２２と側部壁ブロック２３間に拡縮バー２４を介装するとともに、水タンクに給水することにより、左右側壁ＳＷと床壁ＦＷとの間に介在された弾性シール材２８Ａ〜２８Ｃを圧縮して良好にシールし、さらに複数の反力支持具２６により試験水槽３０の水圧を支持させることで、水密試験を予定していない防水扉であっても、精度良く水密試験を実施することができる。
【００３１】
また中間壁ブロック２２と側部壁ブロック２３を床面ＦＷに押付ける水タンク２５をそれぞれ設けたので、設置場所に反力受けとなる天井部が不要でとなり、また軽量で可搬性を向上させることができる。
【００３２】
【発明の効果】
以上に述べたごとく請求項１記載の発明によれば、水密試験を予定していない防水扉であっても、加圧部材により壁ブロックを床壁および側壁側にそれぞれ押付けて弾性シール材を圧縮し、止水壁と床壁および側壁との隙間を良好にシールし、さらに止水壁の全面を覆う止水シートにより止水扉からの水漏れを防止し、さらに支持部材により止水壁を支持させることにより、水密試験を予定していない防水扉であっても、防水扉の止水面側に止水扉を設置して試験水槽を形成し、精度良く防水扉の水密試験を実施することができる。
【００３３】
請求項２記載の発明によれば、水密試験を予定していない防水扉であっても、中間壁ブロックと側部壁ブロックとの間に側方加圧部材を介在させるとともに、下方加圧部材により止水壁と左右側壁および床壁との間の弾性シール材を圧縮して良好にシールし、さらに止水壁の全面を覆う止水シートにより拡縮される止水扉からの水漏れを防止し、さらに試験水槽の水圧を後方支持部材により支持させることができるので、水密試験を予定していない防水扉であっても、試験水槽を容易に形成して精度良く防水扉の水密試験を実施することができる。
【００３４】
請求項３記載の発明によれば、下方伸縮具により楔状壁ブロックを下方に押圧することで、試験水槽の水圧を良好に支持できるとともに、側部壁ブロックを側方および下方にそれぞれ押圧すると同時に中間壁ブロックを下方に押圧することができ、弾性シール材を良好に加圧して試験水槽の止水壁からの漏水を防止することができる。
【００３５】
請求項４記載の発明によれば、側方伸縮具により側部壁ブロックを側壁に押付けて弾性シール材を圧縮し、効果的にシールすることができる。
請求項５記載の発明によれば、下方加圧部材を水タンクとすることで、可搬性を向上させて試験用具の軽量化を図ることができる。また反力受けとなる天井部が無かったり、高い場合でも下方に付勢して弾性シール材を圧縮することができ、止水壁と床壁からの漏水を効果的に防止することができる。
【図面の簡単な説明】
【図１】本発明に係る防水扉の水密試験用止水壁の第１の実施の形態を示す側面断面図である。
【図２】同止水壁の全体概略背面図である。
【図３】同止水壁の部分拡大背面図である。
【図４】同止水壁の側部壁ブロックのコーナ部の拡大背面図である。
【図５】図４に示すＡ−Ａ断面図である。
【図６】本発明に係る防水扉の水密試験用止水壁の第２の実施の形態を示す側面断面図である。
【図７】同止水壁の全体平面図である。
【図８】同止水壁の側面断面図である。
【図９】同止水壁の側部壁ブロックのコーナ部と底辺部材とを示す拡大背面図である。
【図１０】図９に示すＢ−Ｂ断面図である。
【符号の説明】
Ｇ　　防水扉
ＳＷ　側壁
ＦＷ　床壁
ＣＷ　天井
１　　止水壁
２　　中間壁ブロック
３　　側部壁ブロック
４　　楔状壁ブロック
５　　係合部
６　　加圧バー
７　　反力受けバー
８　　弾性シール材
９　　止水シート
１０　　試験水槽
２１　　防水扉
２２　　中間壁ブロック
２３　　側部壁ブロック
２４　　拡縮バー
２５　　水タンク
２６　　反力支持具
２７　　底辺部材
２８Ａ　側部弾性シール材
２８Ｂ　コーナ弾性シール材
２８Ｃ　底部弾性シール材
２９　　止水シート
３０　　試験水槽
【図１】
2004077306.tif 000003
【図２】
2004077306.tif 000004
【図３】
2004077306.tif 000005
【図４】
2004077306.tif 000006
【図５】
2004077306.tif 000007
【図６】
2004077306.tif 000008
【図７】
2004077306.tif 000009
【図８】
2004077306.tif 000010
【図９】
2004077306.tif 000011
【図１０】
2004077306.tif 000012